(57)【要約】【課題】  簡単な構成で侵入者を検出したことを報知することができる。【解決手段】  画像形成装置１０はメインＣＰＵ７０を含み、画像形成装置を使用しない不使用期間において、メインＣＰＵは、人検出センサ６０の出力に基づいて、人検出範囲（Ａ）において人間の存在の有無を検出する。メインＣＰＵは、人間を検出すると、侵入者を検出したことを示す侵入者の報知音声をスピーカ８０から出力することにより、画像形成装置の周囲に報知するとともに、侵入者を検出したことを示すメッセージを含む電子メールを予め登録された宛先に送信して、侵入者を検出したことを宛先の端末のユーザに報知する。【選択図】  図１
2019102863.tif 000002
【特許請求の範囲】
【請求項１】
画像形成装置を使用しない不使用期間を設定する期間設定手段、
前記画像形成装置に対して設定された所定領域内に物体が存在するかどうかを検出する検出手段、
前記期間設定手段によって設定された不使用期間において、前記検出手段によって物体が存在することが検出されたとき、前記物体を検出したことを報知する報知手段を備える、画像形成装置。
【請求項２】
前記報知手段は、前記物体を検出したことを音で前記画像形成装置の周囲に報知する、請求項１記載の画像形成装置。
【請求項３】
前記報知手段は、前記物体を検出したことを音で前記画像形成装置の周囲に第１所定時間繰り返し報知する、請求項１記載の画像形成装置。
【請求項４】
前記報知手段によって前記物体を検出したことを音で前記画像形成装置の周囲に報知している間に、前記期間設定手段によって設定された不使用期間が終了しても、当該報知を最後まで継続する、請求項２または３記載の画像形成装置。
【請求項５】
前記物体を検出したことを報知する場合の音の音量は、前記画像形成装置を使用する場合に設定された通知音の音量に拘わらず、所定の大きさに設定される、請求項２から４までのいずれかに記載の画像形成装置。
【請求項６】
前記報知手段は、前記物体を検出したことを報知する電子データを他の装置に送信する、請求項１から５までのいずれかに記載の画像形成装置。
【請求項７】
前記期間設定手段によって設定された不使用期間が開始したとき、前記検出手段を能動化する能動化手段をさらに備える、請求項１から６までのいずれかに記載の画像形成装置。
【請求項８】
前記検出手段によって前記物体が検出されたとき、第２所定時間当該検出手段を無効にする無効手段をさらに備える、請求項７記載の画像形成装置。
【請求項９】
前記期間設定手段によって設定された不使用期間において、前記画像形成装置を前記報知手段によって報知可能な報知可能状態に移行させる移行手段をさらに備える、請求項１から８までのいずれかに記載の画像形成装置。
【請求項１０】
前記移行手段は前記画像形成装置に異常が発生している場合であっても前記報知可能状態に移行する、請求項９記載の画像形成装置。
【請求項１１】
１または複数の表示ランプ、および
前記移行手段によって前記報知可能状態に移行されたとき、すべての前記表示ランプを消灯する消灯手段をさらに備える、請求項９または１０記載の画像形成装置。
【請求項１２】
前記期間設定手段によって設定された不使用期間が終了したとき、前記報知可能状態を解除する解除手段をさらに備える、請求項９から１１までのいずれかに記載の画像形成装置。
【請求項１３】
外部ジョブ要求を受け付ける受付手段、および
前記期間設定手段によって設定された不使用期間において、前記受付手段によって外部ジョブ要求を受け付けたとき、当該外部ジョブを実行する実行手段をさらに備える、請求項１から１２までのいずれかに記載の画像形成装置。
【請求項１４】
画像形成装置によって実行される報知制御プログラムであって、
前記画像形成装置のプロセッサに、
前記画像形成装置を使用しない不使用期間を設定する期間設定ステップ、
前記画像形成装置に対して設定された所定領域内に物体が存在するかどうかを検出する検出ステップ、および
前記期間設定ステップにおいて設定した不使用期間において、前記検出ステップにおいて物体が存在することを検出したとき、前記物体を検出したことを報知する報知ステップを実行させる、報知制御プログラム。
【請求項１５】
報知制御方法であって、
（ａ）画像形成装置を使用しない不使用期間を設定するステップ、
（ｂ）前記画像形成装置に対して設定された所定領域内に物体が存在するかどうかを検出するステップ、および
（ｃ）前記ステップ（ａ）において設定した不使用期間において、前記ステップ（ｂ）において物体が存在することを検出したとき、前記物体を検出したことを報知するステップを含む、報知制御方法。
【発明の詳細な説明】
【技術分野】
【０００１】
この発明は、画像形成装置、報知制御プログラムおよび報知制御方法に関し、特にたとえば、侵入者を検出したことを報知する、画像形成装置、報知制御プログラムおよび報知制御方法に関する。
【背景技術】
【０００２】
背景技術の一例が特許文献１に開示されている。この特許文献１の複合機は、防犯システムに適用可能であり、監視ユニットとして、人体を検出するセンサを備え、ネットワークを介して制御装置へ接続される。この複合機は、センサによって人体を検出した場合に、検出結果を制御装置へ通知する手段を有する。
【特許文献１】特開２００７−７９６９２号公報
【発明の概要】
【発明が解決しようとする課題】
【０００３】
しかし、特許文献１に開示される複合機は、センサによって人体を検出した場合には、検出結果をネットワークを介して制御装置へ通知し、制御装置は検出結果を受信したことに応じて、検出結果の送信元の複合機またはこの複合機以外の装置に対して、人体を検出したことを示す情報を他の装置へ送信させる命令を出力し、この他の装置が人体を検出したことを示す情報を通報先に対して通知するので、人体を検出したことを示す情報を通知するための構成が複雑であり、改善の余地がある。
【０００４】
それゆえに、この発明の主たる目的は、新規な、画像形成装置、報知制御プログラムおよび報知制御方法を提供することである。
【０００５】
この発明の他の目的は、簡単な構成で侵入者を検出したことを報知することができる、画像形成装置、報知制御プログラムおよび報知制御方法を提供することである。
【課題を解決するための手段】
【０００６】
第１の発明は、画像形成装置を使用しない不使用期間を設定する期間設定手段、画像形成装置に対して設定された所定領域内に物体が存在するかどうかを検出する検出手段、期間設定手段によって設定された不使用期間において、検出手段によって物体が存在することが検出されたとき、物体を検出したことを報知する報知手段を備える、画像形成装置である。
【０００７】
第２の発明は、第１の発明に従属し、報知手段は、物体を検出したことを音で画像形成装置の周囲に報知する。
【０００８】
第３の発明は、第１の発明に従属し、報知手段は、物体を検出したことを音で画像形成装置の周囲に第１所定時間繰り返し報知する。
【０００９】
第４の発明は、第２または第３の発明に従属し、報知手段によって物体を検出したことを音で画像形成装置の周囲に報知している間に、期間設定手段によって設定された不使用期間が終了しても、当該報知を最後まで継続する。
【００１０】
第５の発明は、第２から第４の発明までのいずれかに従属し、物体を検出したことを報知する場合の音の音量は、画像形成装置を使用する場合に設定された通知音の音量に拘わらず、所定の大きさに設定される。
【００１１】
第６の発明は、第１から第５の発明までのいずれかに従属し、報知手段は、物体を検出したことを報知する電子データを他の装置に送信する。
【００１２】
第７の発明は、第１から第６の発明までのいずれかに従属し、期間設定手段によって設定された不使用期間が開始したとき、検出手段を能動化する能動化手段をさらに備える。
【００１３】
第８の発明は、第７の発明に従属し、検出手段によって物体が検出されたとき、第２所定時間当該検出手段を無効にする無効手段をさらに備える。
【００１４】
第９の発明は、第１から第８までのいずれかに従属し、期間設定手段によって設定された不使用期間において、画像形成装置を報知手段によって報知可能な報知可能状態に移行させる移行手段をさらに備える。
【００１５】
第１０の発明は、第９の発明に従属し、移行手段は画像形成装置に異常が発生している場合であっても報知可能状態に移行する。
【００１６】
第１１の発明は、第９または第１０の発明に従属し、１または複数の表示ランプ、および移行手段によって報知可能状態に移行されたとき、すべての表示ランプを消灯する消灯手段をさらに備える。
【００１７】
第１２の発明は、第９から第１１の発明までのいずれかに従属し、期間設定手段によって設定された不使用期間が終了したとき、報知可能状態を解除する解除手段をさらに備える。
【００１８】
第１３の発明は、第１から第１２の発明までのいずれかに従属し、外部ジョブ要求を受け付ける受付手段、および期間設定手段によって設定された不使用期間において、受付手段によって外部ジョブ要求を受け付けたとき、当該外部ジョブを実行する実行手段をさらに備える。
【００１９】
第１４の発明は、画像形成装置によって実行される報知制御プログラムであって、画像形成装置のプロセッサに、画像形成装置を使用しない不使用期間を設定する期間設定ステップ、画像形成装置に対して設定された所定領域内に物体が存在するかどうかを検出する検出ステップ、および期間設定ステップにおいて設定した不使用期間において、検出ステップにおいて物体が存在することを検出したとき、物体を検出したことを報知する報知ステップを実行させる、報知制御プログラムである。
【００２０】
第１５の発明は、報知制御方法であって、（ａ）画像形成装置を使用しない不使用期間を設定するステップ、（ｂ）画像形成装置に対して設定された所定領域内に物体が存在するかどうかを検出するステップ、および（ｃ）ステップ（ａ）において設定した不使用期間において、ステップ（ｂ）において物体が存在することを検出したとき、物体を検出したことを報知するステップを含む、報知制御方法である。
【発明の効果】
【００２１】
この発明によれば、簡単な構成で侵入者を検出したことを報知することができる。
【００２２】
この発明の上述の目的、その他の目的、特徴および利点は、図面を参照して行う以下の実施例の詳細な説明から一層明らかとなろう。
【図面の簡単な説明】
【００２３】
【図１】図１はこの発明の一実施例である画像形成装置の外観構成の一例を斜め上方から見た斜視図である。
【図２】図２は図１に示す画像形成装置の電気的な構成の一例を示すブロック図である。
【図３】図３は図１に示す画像形成装置に設けられる人検出センサの検出範囲の一例を示す図である。
【図４】図４は報知設定画面の一例を示す図である。
【図５】図５は図２に示すメインＣＰＵに接続されるＲＡＭのメモリマップの一例を示す図である。
【図６】図６は図２に示すサブＣＰＵに接続されるＲＡＭのメモリマップの一例を示す図である。
【図７】図７は図２に示すメインＣＰＵの報知制御処理の一例の一部を示すフロー図である。
【図８】図８は図２に示すメインＣＰＵの報知制御処理の他の一部であって、図７に後続するフロー図である。
【図９】図９は図２に示すメインＣＰＵの音声による報知処理の一例を示すフロー図である。
【発明を実施するための形態】
【００２４】
図１は実施例の画像形成装置１０の外観構成の一例を斜め上方から見た斜視図である。図１を参照して、この発明の一実施例である画像形成装置１０は、画像形成部１２と画像読取部１４との間に胴内排紙部１６が形成される胴内排紙型の画像形成装置であって、画像読取部１４の前面側に別ユニットとして設けられる操作ユニット１８を備える。後述するように、画像形成装置１０は、画像読取部１４で読み取った画像データ等に基づいて、所定の用紙（記録媒体）に対して多色または単色の画像を形成し、画像形成された用紙を胴内排紙部１６に排出する。この実施例では、画像形成装置１０は、複写機能、プリンタ機能、スキャナ機能およびファクシミリ機能などを有する複合機（ＭＦＰ：Multifunction Peripheral）である。
【００２５】
なお、この実施例では、ユーザの立ち位置に対向する面、つまり操作ユニット１８が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００２６】
先ず、画像形成装置１０の基本構成について説明する。図１に示すように、画像形成装置１０は、画像形成部１２と、画像形成部１２の上方に設けられる画像読取部１４とを備える。
【００２７】
画像形成部１２の筐体は、右側上部に形成される第１連結筐体１２ａと奥側上部に形成される第２連結筐体１２ｂとを含み、これら第１連結筐体１２ａおよび第２連結筐体１２ｂによって画像読取部１４が支持される。これにより、画像読取部１４の下面側には、画像形成済みの用紙が収容される胴内空間である胴内排紙部１６が形成される。
【００２８】
画像形成部１２は、露光ユニット、現像器、感光体ドラム、帯電器、中間転写ベルト、転写ローラおよび定着ユニット等を備える。画像形成部１２は、その下方に配置される給紙カセット２０等から搬送される用紙に対して電子写真方式によって画像を形成する。すなわち、画像形成部１２は、帯電器および露光ユニット等によって画像データに応じた静電潜像を感光体ドラム上に形成し、現像器によって、感光体ドラム上の静電潜像をトナーにより顕像化する。また、感光体ドラム上に形成されたトナー像を中間転写ベルトおよび転写ローラ等によって用紙に転写し、用紙に転写されたトナー像を定着ユニットによって熱定着させる。その後、画像形成済みの用紙を第１連結筐体１２ａに形成される排紙口２２から胴内排紙部１６に排出する。なお、用紙上に画像を形成するための画像データは、画像読取部１４で読み取った画像データまたは外部コンピュータから送信された画像データ等である。
【００２９】
画像読取部１４は、透明材によって形成される原稿載置台を上面に有する筐体２４を備える。この筐体２４内には、光源、複数のミラー、結像レンズおよびラインセンサ等が設けられる。画像読取部１４は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度や色度が検出され、原稿表面の画像に基づく画像データが生成される。ラインセンサとしては、ＣＣＤ（Charge Coupled Device）やＣＩＳ（Contact Image Sensor）等が用いられる。
【００３０】
胴内排紙部１６は、底面および天面が画像形成部１２の筐体および画像読取部１４の筐体２４によって区画され、右側面および背面が第１連結筐体１２ａおよび第２連結筐体１２ｂによって区画される。つまり、胴内排紙部１６の前面側および左側面側は、開口している。また、胴内排紙部１６には、排紙口２２から排出される画像形成済みの用紙を受ける排紙トレイ２６が設けられる。
【００３１】
また、画像読取部１４の上面には、奥側に配置されるヒンジ等を介して、原稿押えカバー３０が開閉自在に取り付けられる。この原稿押えカバー３０には、原稿載置トレイ３２に載置された原稿を画像読取部１４の画像読取位置に対して１枚ずつ自動的に給紙するＡＤＦ（自動原稿送り装置）３４が設けられる。
【００３２】
さらに、画像読取部１４の筐体２４は、原稿押えカバー３０の前面よりも前方に突出する筐体突出部２４ａを有する。つまり、筐体２４の前端部は、原稿押えカバー３０の前面よりも前方に突出している。そして、この画像読取部１４の筐体２４の前面側に、操作ユニット１８が設けられる。筐体突出部２４ａ（筐体２４）の上面であり、筐体２４の右端寄りには、電源ボタン５６が設けられる。この実施例では、この電源ボタン５６は、画像形成装置１０を正面から見た場合に、後述するホームボタン５２および節電キー５４と直線上に並ぶ位置に配置される。また、電源ボタン５６は、押しボタン式のハードウェアキーである。
【００３３】
また、電源ボタン５６の左側には、ＬＥＤ５８ａが設けられ、さらに、筐体突出部２４ａの前面であり、筐体２４の右端寄りにはＬＥＤ５８ｂが設けられ、筐体２４の中央部にはＬＥＤ５８ｃが設けられる。
【００３４】
ＬＥＤ５８ａは、電源ボタン５６のオン／オフを報知するために設けられる。電源ボタン５６がオンの場合には、ＬＥＤ５８ａは点灯され、電源ボタン５６がオフの場合には、ＬＥＤ５８ａは消灯される。
【００３５】
ＬＥＤ５８ｂは、用紙切れ、トナー切れ、紙詰まりなどの異常（エラー）が発生したことを報知するために設けられる。エラーが発生した場合に、ＬＥＤ５８ｂは点灯され、エラーが発生していない場合に、ＬＥＤ５８ｂは消灯される。
【００３６】
ＬＥＤ５８ｃは、ファクス受信を報知するために設けられる。ファクス受信し、受信した内容が印字された用紙が取り除かれるまで、ＬＥＤ５８ｃは点灯され、それ以外では、ＬＥＤ５８ｃは消灯される。ただし、受信した内容を印字せずにＨＤＤ８８に記憶する場合には、ファクス受信した後に、または、ＨＤＤ８８に記憶した後に、ＬＥＤ５８ｃは消灯される。
【００３７】
さらに、第１連結筐体１２ａの前面に人検出センサ６０が設けられる。人検出センサ６０としては、焦電センサ（赤外線センサ）を用いて、周囲温度と温度差のあるものが検出範囲内で動いたときに、その温度変化を検出することによって、人の有無を検出する、人感センサを用いることができる。
【００３８】
ただし、人検出センサ６０を設ける位置は一例であり、筐体突出部２４ａの前面に設けるようにしてもよい。
【００３９】
また、人検出センサ６０としては、レーザまたは超音波を用いた距離センサ、または、ＣＣＤまたはＣＭＯＳを用いたデジタルカメラ（イメージセンサ）を用いることもできる。距離センサを用いる場合には、所定の検出範囲内の物体を距離の変化で検出することができ、イメージセンサを用いる場合には、所定の検出範囲内の物体の動きを画像の変化（動き）で検出することができる。
【００４０】
また、他の例では、人検出センサ６０として、画像形成装置１０に接続された床センサ（圧力センサ）を用いることもできる。この場合には、画像形成装置１０の周囲に設定された人検出範囲Ａ（図３参照）に対応する床面の範囲に床センサが設けられ、画像形成装置１０（メインＣＰＵ７０）は、床センサの出力に基づいて、人検出範囲Ａに人間（ユーザ）が存在するかどうかを判断する。
【００４１】
また、図示は省略するが、画像形成装置１０の所定位置には、画像形成装置１０の各部位の動作を制御する制御部が設けられる。制御部は、後述する、プロセッサ（７０、７２）、メモリ（７４、８８、９０、９２）および通信回路（９４、９６）等を備え、ユーザによる操作ユニット１８への入力操作などに応じて、画像形成装置１０の各部位を制御し、画像形成装置１０に種々の動作を実行させたり、通信可能に接続された機器との間でデータを送受信したりする。
【００４２】
操作ユニット１８は、操作装置または操作パネルなどとも呼ばれ、横長の矩形板状に形成される。この操作ユニット１８は、その上面（操作パネル上面）をユーザが目視し易いように、前側下がりに傾斜して設けられる。ただし、操作ユニット１８は、その上端部を軸に回動可能に画像読取部１４の筐体に取り付けられる。
【００４３】
操作ユニット１８の上面には、ディスプレイ５０、タッチパネル５１、ホームボタン５２および節電キー５４が設けられる。タッチパネル５１は、ディスプレイ５０の表示面の上方に設けられる。また、ホームボタン５２および節電キー５４は、ディスプレイ５０およびタッチパネル５１の右方に縦に並んで設けられる。
【００４４】
ディスプレイ５０は、ＬＣＤまたはＥＬディスプレイであり、各種設定や印刷指示などをユーザから受け付けるためのソフトウェアキーの画像、スキャンした画像（プレビュー画像）、外部のコンピュータおよび記憶媒体から受信（取得）した画像（入力画像）、および各種のメッセージ等が表示される。タッチパネル５１は、静電容量方式、抵抗膜方式、電磁誘導方式および赤外線方式などの汎用のタッチパネルである。
【００４５】
なお、この実施例では、ディスプレイ５０上にタッチパネル５１を設けるようにしてあるが、これらが一体的に形成されたタッチパネルディスプレイを設けるようにしてもよい。
【００４６】
ホームボタン５２および節電キー５４は、静電容量方式のスイッチを用いたハードウェアキー（操作ボタン）である。ホームボタン５２は、ディスプレイ５０にホーム画面を表示するためのキーである。ただし、ホーム画面とは、メインメニューを表示する画面（基本画面）であり、コピー、プリント、ファクシミリおよびスキャンの各機能を選択するためのキーの画像および各機能および他の機能に関する詳細設定を行うための設定画面を表示するためのキーの画像が表示される。
【００４７】
節電キー５４は、画像形成装置１０を通常状態（通常モード）から節電状態（節電モード）に移行（設定）する、または、節電状態から通常状態に移行（復帰）させるためのキーである。ここで、節電モードは、画像形成装置１０の節電キー５４、ＬＥＤ５８ａ、節電キー５４のバックライトのＬＥＤ、メインＣＰＵ７０、サブＣＰＵ７２、ＲＡＭ７４、ＲＡＭ９２、モデム９４、ＮＩＣ９６およびＲＴＣ９８に電源を供給し、これら以外のコンポーネントへの電源供給をオフ（停止）した状態を意味し、画像形成装置１０の消費電力量が所定値（たとえば、１Ｗ）以下に抑えられる。また、通常状態（通常モード）は、消費電力の制限の無い状態であり、動作の必要の無い一部のコンポーネントを除いたすべてのコンポーネントに電源を供給する状態を意味する。たとえば、給紙ローラおよび搬送ローラを駆動するモータおよびＬＥＤ（５２のバックライト、５８ｂ、５８ｃ）などの一部のコンポーネントについては、動作が必要な場合にのみ電源が供給される。
【００４８】
また、電源ボタン５６がオン／オフされることにより、画像形成装置１０の電源がオン／オフされる。画像形成装置１０の電源がオフからオンに変化されると、画像形成装置１０の各コンポーネントがウォームアップされ、通常モードに設定される。また、電源ボタン５６がオフされると、消費電力を最大限まで低下させた省電力状態（省電力モード）に移行される。省電力モードは、画像形成装置１０のサブＣＰＵ７２、ＲＡＭ９２、モデム９４、ＮＩＣ９６およびＲＴＣ９８に電源を供給し、これら以外のコンポーネントへの電源供給を停止した状態を意味し、画像形成装置１０の消費電力量が節電モードよりもさらに低減される。
【００４９】
図２は図１に示す画像形成装置１０の電気的な構成の一例を示すブロック図である。ただし、本願発明に直接的に関係の無い一部のコンポーネントについては省略してある。
【００５０】
図２に示すように、画像形成装置１０はメインＣＰＵ７０およびサブＣＰＵ７２を含む。メインＣＰＵ７０は、上述した、画像形成部１２、画像読取部１４、タッチパネル５１、ＬＥＤ５８（ＬＥＤ５８ａ、５８ｂ、５８ｃ等）および人検出センサ６０に接続されるとともに、ＲＡＭ７４、ジャムセンサ７６、オーディオＩＣ７８、電源制御回路８２、表示制御回路８４、操作ボタン８６、ＨＤＤ８８およびＲＯＭ９０に接続される。また、オーディオＩＣ７８はスピーカ８０に接続され、表示制御回路８４はディスプレイ５０に接続される。
【００５１】
メインＣＰＵ７０は、ＲＯＭ９０に記憶されたプログラムに従って、画像形成装置１０の全体的な制御を司る。また、メインＣＰＵ７０は、ＲＯＭ９０に記憶されたプログラムに従って、この実施例の報知制御処理を実行する。画像形成部１２および画像読取部１４は、上記のとおりであるため、重複した説明は省略する。
【００５２】
ディスプレイ５０は、液晶ディスプレイ（ＬＣＤ）などの汎用のモニタである。ディスプレイ５０としては、ＥＬ（Electro-Luminescence）ディスプレイなどの他の汎用のモニタを用いることもできる。ディスプレイ５０には、画像形成装置１０が実行可能な各種のジョブから所望のジョブを選択するための画面であるホーム画面、画像形成装置１０が備える機能の使用／不使用を設定するとともに使用する機能の詳細な内容を設定するための設定画面、画像形成装置１０を操作するための操作画面、画像形成装置１０のステータス（動作状態）および各種のメッセージなどが表示される。
【００５３】
ただし、この実施例では、ジョブは、スキャン、コピー（原稿のスキャンを含む）、印刷、ファクスの送信および電子メールの送信などを意味する。
【００５４】
タッチパネル５１のタッチ有効範囲内でのタッチ操作（タッチ入力）を検出して、そのタッチ入力の位置を示すタッチ座標データをメインＣＰＵ７０に出力する。タッチパネル５１は、汎用のタッチパネルであり、静電容量方式、電磁誘導方式、抵抗膜方式、赤外線方式など、任意の方式のものを用いることができる。この実施例では、タッチパネル５１としては、静電容量方式のタッチパネルが用いられ、上述したように、ディスプレイ５０の表示面上にタッチパネル５１が設けられる。
【００５５】
ＬＥＤ（表示ランプ）５８は、ＬＥＤ５８ａ−５８ｃの各々と、ホームボタン５２および節電キー５４のバックライトに用いられるＬＥＤを含み、メインＣＰＵ７０の制御に従って、個別に点灯（オン）、消灯（オフ）および点滅される。
【００５６】
人検出センサ６０は、上述したように、赤外線センサを用いた人感センサであり、メインＣＰＵ７０は、人検出センサ６０の出力に基づいて所定の範囲内（人検出範囲Ａ）内に存在する物体（人間、ユーザ）の有無を検出する。
【００５７】
図３は、画像形成装置１０の周囲に設定される人検出範囲Ａを説明するための平面図である。一般的には、画像形成装置１０が節電モードである場合に、人検出センサ６０の出力に基づいて人検出範囲Ａに存在する人間（ユーザ）が検出されると、ユーザによって画像形成装置１０の使用が開始される前に、節電モードから通常モードに移行され、ウォームアップが開始される。したがって、ユーザが画像形成装置１０の使用を開始してから原稿をスキャンまたは／および印刷などの処理を終了するまでの時間が短縮される。
【００５８】
このため、人検出範囲Ａは、画像形成装置１０の前方であり、画像形成装置１０を使用すると考えられるユーザの存在を検出可能な範囲に設定される。図３に示す例では、画像形成装置１０（操作ユニット１８）の前方に、扇形状の人検出範囲Ａが設定される。扇の半径の長さＬは、画像形成装置１０が設置される環境に応じて適宜設定可能であるが、最大値は、人検出センサ６０の最大検出距離によって制限される。扇の中心角θもまた、画像形成装置１０が設置される環境に応じて適宜設定可能であるが、最大値は、人検出センサ６０の水平方向における最大視野角によって制限される。
【００５９】
なお、図示は省略するが、人検出センサ６０によってユーザのような人間を検出するため、水平方向の中心角θが設定され、人検出センサ６０の垂直方向における中心角は、人検出範囲Ａにおいて床および天井を検出しない大きさに設定すればよい。
【００６０】
図２に戻って、ＲＡＭ７４は、メインＣＰＵ７０のワーク領域およびバッファ領域として用いられる。
【００６１】
ジャムセンサ７６は紙詰まりを検出するためのセンサであり、たとえば、反射型または透過型の光センサを用いることができる。メインＣＰＵ７０は、光センサの出力に基づいて用紙の有無を検出し、用紙を検出している状態が所定時間以上継続する場合に、紙詰まりが発生したことを検出する。ただし、図２では１つのジャムセンサ７６を記載してあるが、用紙の搬送経路の所定位置に配置される複数のジャムセンサを包括的に示してあるだけである。
【００６２】
オーディオＩＣ７８は、メインＣＰＵ７０の指示に従って、音声データを再生し、再生した音声をスピーカ８０から出力する。したがって、音声データに対応する音または音声（合成音声）がスピーカ８０から出力される。
【００６３】
電源制御回路８２は、メインＣＰＵ７０またはサブＣＰＵ７２の指示に従って、画像形成装置１０の各コンポーネントに電源（電力）を供給または停止するための制御回路である。電源制御回路８２は、商用電源を降圧および整流し、各コンポーネントに応じた所定の直流電圧を供給および停止する。
【００６４】
表示制御回路８４は、ＧＰＵおよびＶＲＡＭなどを含み、メインＣＰＵ７０の指示の下、ＧＰＵは、ＲＡＭ７４に記憶された画像生成データ３０４ｂ（図５参照）を用いてディスプレイ５０に種々の画面を表示するための表示画像データをＶＲＡＭに生成し、生成した表示画像データをディスプレイ５０に出力する。詳細な説明は省略するが、画像生成データは、ポリゴンデータおよびテクスチャデータなどのデータを含む。
【００６５】
操作ボタン８６は、ホームボタン５２、節電キー５４および電源ボタン５６などの各種のキーないしボタンを含む。ＨＤＤ８８は、画像形成装置１０のメインメモリであり、各種のデータを記憶する。ＲＯＭ９０は、メインＣＰＵ７０およびサブＣＰＵ７２によって実行されるプログラムおよび画像形成装置１０の固有の情報（モデル名、シリアル番号）を記憶する。
【００６６】
サブＣＰＵ７２は、ＲＡＭ９２、モデム９４、ＮＩＣ９６およびＲＴＣ９８に接続される。サブＣＰＵ７２は、ＲＯＭ９０に記憶されたプログラムに従って、通信制御処理および電源制御処理を実行する。ＲＡＭ９２は、サブＣＰＵ７２のワーク領域およびバッファ領域として用いられる。
【００６７】
モデム９４は、ファクスの送受信を行うための通信回路であり、公衆電話回線に接続される。ＮＩＣ（Ｎｅｔｗｏｒｋ  Ｉｎｔｅｒｆａｃｅ  Ｃａｒｄ）９６はネットワーク（ＬＡＮおよびインターネット）を介して他の電子機器と通信するための通信回路であり、ＬＡＮに接続される。
【００６８】
ＲＴＣ（リアルタイムクロック）９８は、時間（西暦、月日および時刻（時分秒）を含む）をカウントする時計回路である。詳細な説明は省略するが、カレンダー機能によって曜日を知ることができる。
【００６９】
なお、この実施例では、図示および詳細な説明は省略するが、ＲＴＣ９８はメインＣＰＵ７０にも接続され、通常モードにおいては、メインＣＰＵ７０もＲＴＣ９８から時間の情報を取得する。
【００７０】
このような構成の画像形成装置１０は、一例として、オフィスの所定位置に配置され、就業時間内において、電源をオンされ、通常モードに設定される。通常モードでは、画像形成装置１０は、複写、印刷、ファクスの送受信および電子メールの送受信を実行する。ただし、通常モードにおいて、節電キー５４がオンされた場合や、画像形成装置１０を所定時間（たとえば、３０分）使用しない状態が継続した場合には、画像形成装置１０は節電モードに設定される。また、画像形成装置１０は、就業時間外などの画像形成装置１０を使用しない時間帯（不使用期間）において、電源をオフされ、省電力モードに設定される。
【００７１】
上述したように、電源のオン／オフは、電源ボタン５６をオン／オフすることにより行うことができる。また、ユーザがスケジュールを設定することにより、設定した曜日の設定した時刻に、画像形成装置１０の電源を電気的な制御によってオン／オフすることもできる。
【００７２】
この実施例の画像形成装置１０では、画像形成装置１０を使用しない不使用期間において、ユーザが設定することにより、画像形成装置１０が備える機能を使って画像形成装置１０が設置された位置（場所または領域）における侵入者の有無を検出し、侵入者を検出した場合に、そのことを画像形成装置１０の周囲および所定の端末を使用するユーザに報知するようにしてある。
【００７３】
この実施例では、侵入者を検出したことを画像形成装置１０の周囲に報知する場合には、侵入者を検出したことを示す内容の音声（侵入者の報知音声）がスピーカ８０から所定時間（第１所定時間に相当する。たとえば、１分間）繰り返し出力される。このとき、侵入者の報知音声は予め設定された音量（たとえば、最大音量）でスピーカ８０から出力される。この侵入者の報知音声の音量は、通常モードにおいて、ファクス送信または受信や、エラー報知のために設定された音量とは別である。
【００７４】
なお、この実施例では、侵入者の報知音声は、所定時間繰り返し出力されるが、所定回数繰り返し出力するようにしてもよい。
【００７５】
また、この実施例では、侵入者を検出したことを所定の端末を使用するユーザに報知する場合には、侵入者を検出したことを示すメッセージ（報知メッセージ）を予め設定された宛先に電子メールを送信する。複数の宛先（メールアドレス）が登録されている場合には、各宛先に報知メッセージの電子メールが送信される。報知メッセージは、侵入者を検出した旨のテキスト文と、侵入者を検出した画像形成装置１０についての固有の情報を含む。画像形成装置１０についての固有の情報は、ＲＯＭ９０に記憶された固有の情報（モデル名、シリアル番号）に加えて、画像形成装置１０のユーザまたは管理者等が当該画像形成装置１０に割り当てたデバイス名、マシンコードが記述される。この固有の情報に対応して、画像形成装置１０を設置した位置（場所ないし領域）を記録しておくことにより、報知メッセージに基づいて、この報知メッセージの送信元である画像形成装置１０を特定するとともに、当該画像形成装置１０を設置した位置（場所ないし領域）を知ることができる。したがって、侵入者を検出した位置（場所ないし領域）が特定される。
【００７６】
ただし、宛先が登録されていない場合には、報知メッセージの電子メールは送信されない。
【００７７】
このように、侵入者を検出したことを報知することにより、画像形成装置１０が設置された位置（場所または領域）への侵入を防止したり、不使用期間における画像形成装置１０の使用を抑制したりする効果が期待できる。
【００７８】
侵入者を検出したことを報知可能な状態（報知モード）では、侵入者を検出するためのコンポーネントへの電源の供給が必要であるため、消費電力量は節電モードおよび省電力モードの場合よりも増大する。報知モードでは、画像形成装置１０の人検出センサ６０、メインＣＰＵ７０、サブＣＰＵ７２、ＲＡＭ７４、ＲＡＭ９２、モデム９４、ＮＩＣ９６およびＲＴＣ９８に電源が供給され、これら以外のコンポーネントへの電力供給が停止される。
【００７９】
また、侵入者を検出したことを報知する場合には、画像形成装置１０にトナー切れなどのエラーが発生していることは関係無いため、設定した電源オフの指定時刻になれば、電源がオフされるとともに報知モードが設定され、上記のように、侵入者の有無が検出されるとともに、侵入者を検出したことに応じて、そのことが報知される。
【００８０】
図４は報知制御を実行するための設定画面（報知設定画面）２００の一例を示す図である。報知設定画面２００は、ユーザの操作に従ってディスプレイ５０に表示される。図４に示すように、報知設定画面２００は、設定領域２０２、２０４、２０６および２０８を含む。設定領域２０２は、画像形成装置１０の電源をオンする指定時刻を設定するための領域である。設定領域２０４は、画像形成装置１０の電源をオフする指定時刻を設定するための領域である。画像形成装置１０の電源をオンおよびオフする指定時刻はプルダウンメニューで選択したり、ソフトウェアキーを用いて直接的に入力したりすることができる。設定領域２０６は、報知制御処理を実行する曜日を設定するための領域である。ユーザは、報知制御処理を行う曜日のチェックボックスにチェックを入れ、報知制御処理を行わない曜日のチェックボックスのチェックを外す。設定領域２０８は、報知制御処理において、報知メッセージを送信する送信先（所定の端末）の電子メールアドレスを入力（設定）するための領域である。詳細な説明は省略するが、制限数または制限文字数以内であれば、送信先の電子メールアドレスを複数設定することができる。ただし、報知メッセージの電子メールを送信しない場合には、宛先を登録しなければ良い。
【００８１】
図５は図２に示したＲＡＭ７４のメモリマップ３００の一例を示す図である。ＲＡＭ７４は、プログラム記憶領域３０２およびデータ記憶領域３０４を含む。プログラム記憶領域３０２は、操作検出プログラム３０２ａ、表示プログラム３０２ｂ、報知設定プログラム３０２ｃ、第１電源制御プログラム３０２ｄ、報知制御プログラム３０２ｅ、人検出プログラム３０２ｆ、音声報知プログラム３０２ｇおよびメール報知プログラム３０２ｈなどを記憶する。
【００８２】
操作検出プログラム３０２ａは、タッチパネル５１および電源ボタン５６の操作に従って入力される操作入力データを検出し、データ記憶領域３０４に記憶するためのプログラムである。
【００８３】
表示プログラム３０２ｂは、報知設定画面２００などの各種の画面に対応する表示画像データを生成し、生成した表示画像データをディスプレイ５０に出力（表示）するためのプログラムである。
【００８４】
報知設定プログラム３０２ｃは、ユーザの操作に従ってディスプレイ５０に表示された報知設定画面２００における各種の設定事項を決定（変更）するためのプログラムである。決定された報知設定の内容（報知設定データ３０４ｃ）は、メインＣＰＵ７０によってＨＤＤ８８に保存（セーブ）される。ただし、報知設定画面２００は、表示プログラム３０２ｂに従ってディスプレイ５０に表示される。
【００８５】
第１電源制御プログラム３０２ｄは、節電キー５４が操作されたことに応じて、電源制御回路８２を制御して、画像形成装置１０を節電モードまたは通常モードに設定するように、各コンポーネントに電源を供給および停止するとともに、電源ボタン５６がオン／オフされたことに応じて、電源制御回路８２を制御して、画像形成装置１０を省電力モードまたは通常モードに設定するように、各コンポーネントに電源を供給および停止するためのプログラムである。
【００８６】
また、第１電源制御プログラム３０２ｄは、通常モードにおいて、画像形成装置１０を所定時間（たとえば、３０分）以上継続して使用しない場合に、電源制御回路８２を制御して、自動的に節電モードに設定するように、各コンポーネントに電源を供給および停止するためのプログラムでもある。
【００８７】
さらに、第１電源制御プログラム３０２ｄは、報知制御処理が実行されていない場合には、電源オフの指定時刻になったことに応じて、省電力モードを設定するように、各コンポーネントに電源を供給および停止するためのプログラムでもある。
【００８８】
さらにまた、第１電源制御プログラム３０２ｄは、報知制御処理が実行されている場合には、電源オフの指定時刻になったことに応じて、電源制御回路８２を制御して、画像形成装置１０を省電力モードに設定するように、各コンポーネントに電源を供給および停止した後に、画像形成装置１０を報知モードに設定するように、各コンポーネントに電源を供給および停止するためのプログラムでもある。ただし、報知制御処理は、メインＣＰＵ７０によって実行されるため、電源オフの指定時刻になった場合には、省電力モードをに設定するように電源制御されるが、メインＣＰＵ７０への電源供給は停止されない。
【００８９】
なお、電源ボタン５６がオフされた場合または電源オフの指定時刻になった場合には、通常モードが設定されている場合と節電モードが設定されている場合とで、電源供給を停止するコンポーネントが一部異なる（図７参照）。
【００９０】
また、第１電源制御プログラム３０２ｄは、サブＣＰＵ７２の制御に従って、電源制御回路８２を制御して、画像形成装置１０を通常モードに設定するように、各コンポーネントに電源を供給および停止するためのプログラムでもある。
【００９１】
報知制御プログラム３０２ｅは、画像形成装置１０を使用していない不使用期間において人検出センサ６０の出力に基づいて人間（ユーザ）の有無を検出し、人間を検出した場合に、画像形成装置１０の周囲および予め登録した宛先の端末のユーザに、侵入者を検出したことを報知する報知制御処理を実行するためのプログラムである。ただし、宛先が登録されていない場合には、報知制御プログラム３０２ｅは、画像形成装置１０の周囲にのみ、侵入者を検出したことを音声で報知する。
【００９２】
人検出プログラム３０２ｆは、画像形成装置１０の周囲に設定された人検出範囲Ａ内に存在する物体（人間、ユーザ）を検出するためのプログラムである。音声報知プログラム３０２ｇは、侵入者を検出したことを音声で報知するためのプログラムである。メール報知プログラム３０２ｈは、侵入者を検出したことを報知するメッセージを予め登録された宛先に電子メールで送信するためのプログラムである。
【００９３】
なお、図示は省略するが、プログラム記憶領域３０２には、メインＣＰＵ７０で各種の機能を実行するためのプログラムなども記憶される。
【００９４】
ＲＡＭ７４のデータ記憶領域３０４には、操作入力データ３０４ａ、画像生成データ３０４ｂ、報知設定データ３０４ｃ、報知音声データ３０４ｄ、報知メッセージデータ３０４ｅおよび無効フラグ３０４ｆなどが記憶される。
【００９５】
操作入力データ３０４ａは、操作検出プログラム３０２ａに従って検出（取得）されたタッチ座標データまたは／および操作データである。検出されたタッチ座標データまたは／および操作データは、時系列に従ってデータ記憶領域３０４に記憶される。
【００９６】
画像生成データ３０４ｂは、ディスプレイ５０に表示される報知設定画面２００などの各種の画面についての表示画像データを生成するためのポリゴンデータおよびテクスチャデータなどを含む画像データである。
【００９７】
報知設定データ３０４ｃは、報知設定についてのデータであり、具体的には、図４に示した報知設定画面２００において設定した電源オンおよび電源オフの時刻、曜日および送付先のメールアドレスのデータである。この報知設定データ３０４ｃは、たとえば、報知制御処理を開始するときに、ＨＤＤ８８から読み出されてＲＡＭ７４のデータ記憶領域３０４に記憶される。
【００９８】
報知音声データ３０４ｄは、侵入者の報知音声（合成音声）についてのデータである。報知メッセージデータ３０４ｅは、上述したように、侵入者が存在することを電子メールで報知する報知メッセージについてのデータである。報知音声データ３０４ｄおよび報知メッセージデータ３０４ｅは、たとえば、報知制御処理を開始するときに、ＨＤＤ８８から読み出されてＲＡＭ７４のデータ記憶領域３０４に記憶される。
【００９９】
無効フラグ３０４ｆは、人検出センサ６０が無効であるかどうかを判断するためのフラグである。無効フラグ３０４ｆがオンである場合には、人検出センサ６０は無効であり、無効フラグ３０４ｆがオフである場合には、人検出センサ６０は有効である。たとえば、人検出センサ６０が無効である場合には、メインＣＰＵ７０は人検出センサ６０の出力を無視し、人検出センサ６０が有効である場合には、メインＣＰＵ７０は人検出センサ６０の出力に基づいて人検出範囲Ａ内に人間が存在するかどうかを判断する。ただし、人検出センサ６０は、報知モードにおいて、侵入者を検出した場合に、所定時間（第２所定時間に相当する。たとえば、数分〜数十分）無効にされる。この実施例では、人検出センサ６０が無効の場合には、人検出センサ６０の出力を無視するようにしてあるが、これに代えて、人検出センサ６０への電源供給を停止するようにしても良い。
【０１００】
このように、人検出センサ６０を無効するのは、侵入者を検出した場合に、同じ侵入者を繰り返し検出し、その都度、侵入者を検出したことが報知されるのを防止するためである。
【０１０１】
なお、図示は省略するが、データ記憶領域３０４には、画像形成装置１０の全体制御処理の実行に必要な他のデータが記憶されたり、全体制御処理の実行に必要なタイマ（カウンタ）およびレジスタが設けられたりする。
【０１０２】
図６は図２に示したＲＡＭ９２のメモリマップ４００の一例を示す図である。ＲＡＭ９２は、プログラム記憶領域４０２およびデータ記憶領域４０４を含む。
【０１０３】
通信プログラム４０２ａは、モデム９４を用いてファクス通信を実行するためのプログラムおよびＮＩＣ９６を用いてネットワーク通信を実行するためのプログラムを含む。また、通信プログラム４０２ａは、外部ジョブの要求に応じて、メインＣＰＵ７０に外部ジョブの実行を指示するためのプログラムでもある。
【０１０４】
第２電源制御プログラム４０２ｂは、電源オンの指定時刻になったことに応じて、通常モードに設定するようにメインＣＰＵ７０を指示するためのプログラムである。したがって、メインＣＰＵ７０は、電源制御回路８２を制御して、画像形成装置１０を通常モードに設定するように、各コンポーネントに電源を供給および停止する。
【０１０５】
なお、図示は省略するが、プログラム記憶領域４０２には、サブＣＰＵ７２で各種の機能を実行するためのプログラムなども記憶される。
【０１０６】
ＲＡＭ９２のデータ記憶領域４０４には、報知設定データ４０４ａなどが記憶される。
【０１０７】
報知設定データ４０４ａは、上述した報知設定データ３０４ｃと同じであるため、重複した説明は省略する。
【０１０８】
図７および図８は図２に示したメインＣＰＵ７０の報知制御処理のフロー図の一例である。なお、メインＣＰＵ７０は、画像形成装置１０の全体的な処理を実行するともに、サブＣＰＵ７２からの指示に従う処理も実行する。
【０１０９】
図７に示すように、メインＣＰＵ７０は、報知制御処理を開始すると、ステップＳ１で、エラー発生かどうかを判断する。ここでは、メインＣＰＵ７０は、用紙詰まり、トナー切れ、用紙切れなどのエラーが発生しているかどうかを判断する。たとえば、メインＣＰＵ７０は、ジャムセンサ７６の出力に基づいて用紙詰まりが発生しているかどうかを判断する。また、メインＣＰＵ７０は、トナー使用量を算出することにより、トナー切れかどうかを判断する。さらに、メインＣＰＵ７０は、光センサまたは機械センサの出力に基づいて、用紙カセットまたは用紙トレイの用紙切れが発生しているかどうかを判断する。
【０１１０】
ステップＳ１で“ＹＥＳ”であれば、つまり、エラーが発生している場合には、ステップＳ３で、エラーの内容を表示して、ステップＳ５に進む。ステップＳ３では、メインＣＰＵ７０はエラー発生画面をディスプレイ５０に表示する。たとえば、エラー発生画面には、エラーの発生箇所が分かる画像およびエラーの内容が分かるメッセージが表示される。
【０１１１】
一方、ステップＳ１で“ＮＯ”であれば、つまり、エラーが発生していない場合には、ステップＳ５で、電源オフの指定時刻かどうかを判断する。ここでは、メインＣＰＵ７０は、ＲＴＣ９８から通知される現在時刻が、報知設定データ３０４ｃに含まれる電源オフの時刻になったかどうかを判断する。このとき、電源オフの指定時刻のみならず、報知制御処理を実行する曜日であるかどうかも判断される。
【０１１２】
ステップＳ５で“ＮＯ”であれば、つまり、電源オフの指定時刻でなければ、ステップＳ１に戻る。一方、ステップＳ５で“ＹＥＳ”であれば、つまり、電源オフの指定時刻であれば、ステップＳ７で、節電モードかどうかを判断する。ステップＳ７で“ＹＥＳ”であれば、つまり、節電モードであれば、ステップＳ１３に進む。一方、ステップＳ７で“ＮＯ”であれば、つまり、通常モードであれば、ステップＳ９で、電源制御回路８２に指示して、画像形成部１２および画像読取部１４への電源供給を停止し、ステップＳ１１で、電源制御回路８２に指示して、ディスプレイ５０、タッチパネル５１およびホームボタン５２への電源供給を停止して、ステップＳ１３に進む。
【０１１３】
ステップＳ１３では、電源制御回路８２に指示して、すべてのＬＥＤ５８を消灯する。したがって、ステップＳ１３の処理を終えた状態では、画像形成装置１０のうち、電源ボタン５６、メインＣＰＵ７０、サブＣＰＵ７２、ＲＡＭ７４、ＲＡＭ９２、モデム９４、ＮＩＣ９６およびＲＴＣ９８を除くコンポーネントへの電源供給は停止される。次のステップＳ１５では、報知モードに移行する。ここでは、メインＣＰＵ７０は、人検出センサ６０にも電源を供給し、侵入者を検出した場合に報知可能な状態に移行する。
【０１１４】
図８に示すように、続くステップＳ１７では、外部ジョブの要求があるかどうかを判断する。ここでは、メインＣＰＵ７０は、サブＣＰＵ７２から、印刷の実行、ファクスの受信または電子メールの受信などの外部ジョブの実行を指示されたかどうかを判断する。
【０１１５】
ステップＳ１７で“ＹＥＳ”であれば、つまり、外部ジョブの要求があれば、ステップＳ１９で、要求（指示）された外部ジョブを実行して、ステップＳ２１に進む。したがって、メインＣＰＵ７０は、電源制御回路８２を制御して、外部ジョブの実行に必要なコンポーネントへの電源供給を開始し、サブＣＰＵ７２から指示された外部ジョブを実行する。
【０１１６】
続いて、ステップＳ２１では、人検出センサ６０が有効かどうかを判断する。ここでは、メインＣＰＵ７０は、無効フラグ３０４ｆがオフであるかどうかを判断する。ステップＳ２１で“ＮＯ”であれば、つまり、無効フラグ３０４ｆがオンであり、人検出センサ６０が無効であれば、ステップＳ３３に進む。一方、ステップＳ２１で“ＹＥＳ”であれば、つまり、無効フラグ３０４ｆがオフであり、人検出センサ６０が有効であれば、ステップＳ２３で、人間（物体）を検出したかどうかを判断する。ここでは、メインＣＰＵ７０は、人検出センサ６０の出力に基づいて人検出範囲Ａに人間が存在するかどうかを判断する。
【０１１７】
ステップＳ２３で“ＹＥＳ”であれば、つまり、人間を検出すれば、ステップＳ２５で、人検出センサ６０を第２所定時間無効にする。ここでは、メインＣＰＵ７０は、無効フラグ３０４ｆをオンする。
【０１１８】
次のステップＳ２７では、後述する音声による報知処理（図９参照）を開始する。続いて、ステップＳ２９では、メールの送信先が登録されているかどうかを判断する。つまり、メインＣＰＵ７０は、報知設定データ３０４ｃを参照して、電子メールアドレスが登録されているかどうかを判断する。
【０１１９】
ステップＳ２９で“ＮＯ”であれば、つまり、メールの送信先が登録されていなければ、ステップＳ３３に進む。一方、ステップＳ２９で“ＹＥＳ”であれば、つまり、メールの送信先が登録されていれば、ステップＳ３１で、報知メッセージを送信して、ステップＳ３３に進む。したがって、メインＣＰＵ７０は、報知設定データ３０４ｃから宛先のメールアドレスを取得し、報知メッセージデータ３０４ｅが示す報知メッセージを本文に記載した電子メールを作成し、サブＣＰＵ７２に指示して、作成した電子メールをＮＩＣ９６を介して送信する。
【０１２０】
また、ステップＳ２３で“ＮＯ”であれば、つまり、人間を検出していなければ、ステップＳ３３で、電源オンの指定時刻かどうかを判断する。ここでは、サブＣＰＵ７２が、ＲＴＣ９８から通知される現在時刻が、報知設定データ４０４ａに含まれる電源オンの指定時刻になったかどうかを判断する。このとき、電源オンの指定時刻のみならず、報知制御処理を実行する曜日であるかどうかも判断される。そして、サブＣＰＵ７２は、判断結果をメインＣＰＵ７０に通知する。
【０１２１】
ステップＳ３３で“ＮＯ”であれば、つまり、電源オンの指定時刻でなければ、ステップＳ１７に戻る。一方、ステップＳ３３で“ＹＥＳ”であれば、つまり、電源オンの指定時刻であれば、ステップＳ３５で、報知モードを解除する。ここでは、メインＣＰＵ７０は、電源制御回路８２に指示して、人検出センサ６０への電源供給を停止する。続くステップＳ３７では、ディスプレイ５０およびタッチパネル５１をオンし、ステップＳ３９で、必要なＬＥＤ５８（ここでは、ホームボタン５２のバックライト、ＬＥＤ５８ａ）を点灯して、図７に示したステップＳ１に戻る。
【０１２２】
図９は図２に示すメインＣＰＵ７０の音声による報知処理の一例を示すフロー図である。メインＣＰＵ７０は、この音声による報知処理を、図７および図８に示した報知制御処理と並行して実行する。
【０１２３】
図９に示すように、メインＣＰＵ７０は、音声による報知処理を開始すると、ステップＳ５１で、タイマをスタートする。図示は省略したが、タイマ（カウンタ）はＲＡＭ７４に設けられる。
【０１２４】
次のステップＳ５３では、スピーカ８０の音量が最大値に設定される。次のステップＳ５５では、侵入者を検出したことを報知するメッセージを音声で出力する。ここでは、メインＣＰＵ７０の指示の下、オーディオＩＣ７８が報知音声データ３０４ｄを再生することにより、この報知音声データ３０４ｄに対応する侵入者の報知音声がステップＳ５３で設定した最大値の音量でスピーカ８０から出力される。
【０１２５】
なお、上述したように、ステップＳ５３では、スピーカ８０から出力される音声の音量は、通常モードにおける音量の設定値（消音も含む）に拘わらず、最大値に設定される。ただし、音量は最大値に設定される必要はなく、ユーザが所望の音量の大きさを設定してもよい。
【０１２６】
続いて、ステップＳ５７では、第１所定時間（たとえば、１分）を経過したかどうかを判断する。ステップＳ５７で“ＮＯ”であれば、つまり、第１所定時間を経過していなければ、ステップＳ５５に戻る。ステップＳ５７で“ＹＥＳ”であれば、つまり、第１所定時間を経過していれば、ステップＳ５９で、通常モード時における音量設定に戻して、音声による報知処理を終了する。
【０１２７】
なお、報知音声データ３０４ｄに対応する音声の再生時間は６〜８秒であるため、ステップＳ５５およびＳ５７の処理によって、第１所定時間を経過するまで、侵入者の報知音声が繰り返し出力される。
【０１２８】
この実施例によれば、画像形成装置１０を使用しない場合に、画像形成装置１０が備える機能を用いて侵入者を検出し、侵入者を検出したことを画像形成装置１０の周囲または／および登録した宛先の端末のユーザに報知するので、簡単な構成で侵入者を検出したことを報知することができる。
【０１２９】
なお、この実施例では、侵入者を検出した場合に、侵入者の報知音声を第１所定時間において繰り返し出力するようにしたが、侵入者の報知音声の出力を途中で停止可能としてもよい。たとえば、所定の１または２以上のボタンを押したり、所定のパスワードを入力したりすることにより、侵入者の報知音声の出力が停止される。このようにすれば、管理者などの侵入者で無い者が侵入者の報知音声の出力を途中で停止させることができる。
【０１３０】
また、この実施例では、侵入者を検出した場合には、侵入者の報知音声を第１所定時間において繰り返し出力するようにしたが、侵入者の報知音声を１回出力するようにしてもよい。また、場合によって、報知音声を出力しないで、報知メッセージの電子メールを送信するだけでもよい。これは、単に、不使用期間における画像形成装置１０の使用の有無などを検出して、不使用期間の設定変更などを行いたい場合もあるからである。
【０１３１】
さらに、この実施例では、侵入者の報知音声を出力するようにしたが、音声に変えて、所定の音または所定のメロディーを出力するようにしてもよい。
【０１３２】
さらにまた、この実施例では、用紙詰まり、トナー切れ、用紙切れなどのエラーが発生している場合であっても、音声または／および電子メールによって侵入者を検出したことを報知することを説明したが、何らかの故障が画像形成装置１０に発生している場合もエラーが発生していると判断される。
【０１３３】
また、この実施例では、侵入者を検出する範囲は、節電モードから通常モードに復帰するために人間（ユーザ）を検出する人検出範囲Ａと同じに設定されているが、報知制御処理を実行する場合には、最大の大きさなどの所定の大きさに設定する（変化させる）ようにしてもよい。たとえば、通常モードにおいて、人検出センサ６０の最大検出距離よりも短い距離で人検出範囲Ａを設定しておき、報知制御モードにおいて、人検出センサ６０の最大距離で人検出範囲Ａを設定するようにしてもよい。この場合、人検出範囲Ａの扇形の中心角θを変化させることができる場合には、通常モードから報知制御モードに変化された場合に、中心角θも大きくさせるようにしてもよい。
【０１３４】
また、本明細書中で挙げた、具体的な構成は、いずれも単なる一例であり、実際の製品の仕様に応じて適宜変更可能である。たとえば、音声出力および電子メール機能を備える、印刷装置（画像形成部１２）、ファクス、スキャナ（画像読取部１４）またはこれらのうちのいずれか２つの装置を一体的に設けた画像形成装置においても、実施例で説明した報知制御処理を実行することができる。
【符号の説明】
【０１３５】
１０  …画像形成装置
１２  …画像形成部
１４  …画像読取部
１８  …操作ユニット
５０  …タッチパネルディスプレイ
５２  …ホームボタン
５４  …節電キー
５６  …電源ボタ
７０、７２  …ＣＰＵ
７４、９２  …ＲＡＭ
７６  …ジャムセンサ
７８  …オーディオＩＣ
８０  …スピーカ
８２  …電源制御回路
８８  …ＨＤＤ
９０  …ＲＯＭ
９４  …モデム
９６  …ＮＩＣ
９８  …ＲＴＣ
【図１】
2019102863.tif 000003
【図２】
2019102863.tif 000004
【図３】
2019102863.tif 000005
【図４】
2019102863.tif 000006
【図５】
2019102863.tif 000007
【図６】
2019102863.tif 000008
【図７】
2019102863.tif 000009
【図８】
2019102863.tif 000010
【図９】
2019102863.tif 000011